(57)【特許請求の範囲】
【請求項１】
底部と底部にヒンジ連結された側壁とを有する折り畳みコンテナーにおいて、底部の一方の相対する辺部に、略逆Ｔ字状の凹部が形成されたブロックが配設されているとともに、前記辺部にヒンジ連結された側壁には、前記略逆Ｔ字状の凹部に嵌合可能な略逆Ｔ字状の嵌合凸部が配設されていることを特徴とする折り畳みコンテナー。
【請求項２】
底部に配設されたブロックに形成された略逆Ｔ字状の凹部を構成する所定の面に、突起が突設されているとともに、側壁に配設された嵌合凸部には、前記突起が挿入可能な凹部が形成されていることを特徴とする請求項１に記載の折り畳みコンテナー。
【発明の詳細な説明】
【０００１】
【発明の属する技術分野】
本発明は、底部と、底部にヒンジ連結された側壁とから構成された折り畳み可能な折り畳みコンテナーに関するものである。
【０００２】
【従来の技術】
従来、底部に、適当なヒンジ部材を介して、ヒンジ連結された相対する長側壁と、同じく底部に、適当なヒンジ部材を介して、ヒンジ連結された相対する短側壁とから構成された折り畳みコンテナーが知られており、このようなヒンジ部材の一例を、以下に説明する。
【０００３】
底部１０の相対する辺部には、底板１０ａの縁部から上方に略垂直に延在する内壁部１０ｂ１と、内壁部１０ｂ１の上端から外側に略水平に延在する水平部１０ｂ２と、水平部１０ｂ２の縁部から下方に底板１０ａ付近まで延在する外壁部１０ｂ３とから構成された、長手方向に対して垂直な断面形状が、略逆Ｕ字状の土手部１０ｂが配設されている。土手部１０ｂには、平面形状が長方形の縦孔１０ｃが形成されており、また、土手部１０ｂの内壁部１０ｂ１には、縦孔１０ｃに連通するとともに、底板１０ａ付近まで延在する方形状の壁孔１０ｄが形成されている。壁孔１０ｄの横幅（土手部１０ｂの長手方向に沿った長さ）ｗ１０は、縦孔１０ｃの長辺長さ（土手部１０ｂの長手方向に沿った長さ）ｗ１１より短く、且つ、縦孔１０ｃの長辺の略中央部に位置している。また、外壁部１０ｂ３の内面の中程の高さには、突起１０ｅが形成されているとともに、壁孔１０ｄの両側に位置する内壁部１０ｂ１の内面（外壁部１０ｂ３側に位置する面）の上端部には、フック１０ｆが形成されている。上記の土手部１０ｂに形成された縦孔１０ｃ、壁孔１０ｄ、突起１０ｅ及びフック１０ｆにより、雌ヒンジ部材Ｈ１が構成されている。
【０００４】
一方、側壁２０の側板２０ａに垂直な下部水平フランジ２０ｂの裏面には、所定の間隔をおいて、一対の支持片２０ｃが垂設されており、また、一対の支持片２０ｃは、連結片２０ｄにより架橋されている。支持片２０ｃの側板２０ａに対して垂直な方向の幅ｗ１２は、上述した底部１０の土手部１０ｂに形成された縦孔１０ｃの短辺長さｗ１３より、若干、短く形成されている。一対の支持片２０ｃの外側面には、外側面に垂直方向にヒンジブロック２０ｅが形成されており、ヒンジブロック２０ｅの下部水平フランジ２０ｂに対して垂直方向の幅ｗ１４は、底部１０の土手部１０ｂの外壁部１０ｂ３とフック１０ｆの先端との間の間隙より、若干、狭く形成されている。上記の一対の支持片２０ｃ及びヒンジブロック２０ｅにより、雄ヒンジ部材Ｈ２が構成されている。
【０００５】
底部１０と側壁２０とをヒンジ連結するには、図７に示されているように、側板２０ａが略水平状態となるように側壁２０を配置し、その後、側壁２０を、底部１０に向かって下降させ、側壁２０に形成されたヒンジブロック２０ｅを有する支持部２０ｃを、土手部１０ｂの水平部１０ｂ２に形成された縦孔１０ｃ及び壁孔１０ｄに挿入すると、ヒンジブロック２０ｅは、図８に示されているように、底部１０に形成された土手部１０ｂの外壁部１０ｂ３とフック１０ｆとの間に配置されることになる。また、連結片２０ｄは、図９に示されているように、突起１０ｅを越えて、突起１０ｅの下方に位置するように構成されている。このような状態から、略水平状態の側壁２０を、略垂直に立てると、図１０に示されているように、側壁２０が水平に倒された状態において、ヒンジブロック２０ｅの一部は、フック１０ｆの下に入り込むとともに、側壁２０の下部水平フランジ２０ｂが、底部１０の土手部１０ｂの水平部１０ｂ２に載置されることになる。このようにして、底部１０に配設された雌ヒンジ部材Ｈ１と側壁２０に配設された雄ヒンジ部材Ｈ２とにより、底部１０と側壁２０とがヒンジ連結されることになる。
【０００６】
【発明が解決しようとする課題】
従来、折り畳まれた状態の折り畳みコンテナーの高さをより低くして、折り畳まれた状態の折り畳みコンテナーの収容効率を上げるために、側壁２０の厚さｄ１を薄くすることが行われているが、側壁２０の厚さｄ１を薄くすると、雄ヒンジ部材Ｈ２を構成する支持片２０ｃの側板２０ａに対して垂直な方向の幅ｗ１２も薄くなり、従って、雄ヒンジ部材Ｈ２の強度が低下し、ひいては、底部１０と側壁２０の雌ヒンジ部材Ｈ１と雄ヒンジ部材Ｈ２とからなるヒンジ連結部の強度が低下し、ヒンジ連結部が損傷するという問題があった。
【０００７】
また、物品が収容された折り畳みコンテナーを運搬する場合に、特に、短側壁に比べて横幅の長い長側壁を持って運搬する場合、長側壁の中央部に位置するヒンジ連結部に負担がかかり、ヒンジ連結部が損傷するという問題があった。特に、折り畳まれた状態の折り畳みコンテナーの高さをより低くして、折り畳まれた状態の折り畳みコンテナーの収容効率を上げるために、長側壁の厚さを薄くした場合には、長側壁と底部をヒンジ連結するヒンジ連結部が損傷することが多くなり、大きな問題となっている。
【０００８】
本発明の目的は、上述した従来の折り畳みコンテナーが有する課題を解決することにある。
【０００９】
【課題を解決するための手段】
本発明は、上述した目的を達成するために、底部と底部にヒンジ連結された側壁とを有する折り畳みコンテナーにおいて、第１には、底部の一方の相対する辺部に、略逆Ｔ字状の凹部が形成されたブロックを配設するとともに、前記辺部にヒンジ連結された側壁には、前記略逆Ｔ字状の凹部に嵌合可能な略逆Ｔ字状の嵌合凸部を配設したものであり、第２には、底部に配設されたブロックに形成された略逆Ｔ字状の凹部を構成する所定の面に、突起を突設するとともに、側壁に配設された嵌合凸部には、前記突起が挿入可能な凹部を形成したものである。
【００１０】
【実施例】
以下に、本発明の実施例について説明するが、本発明の趣旨を越えない限り何ら、本実施例に限定されるものでない。
【００１１】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、短辺側土手部１ｂの高さは、長辺側土手部１ａの高さより、高く形成されている。また、短辺側土手部１ｂ及び長辺側土手部１ａには、上述した雌ヒンジ部材Ｈ１が、所定の間隔で適当数、配設されている。更に、底部１の短辺側土手部１ｂの両端部からは、長辺側土手部１ａ方向に延在する角部補強ブロック１ｃが形成されており、角部補強ブロック１ｃの角部には、傾斜部１ｃ１に形成されている。
【００１２】
２は、長側壁であり、長側壁２の下部フランジ２ａの裏面には、底部１の長辺側土手部１ａに配設された雌ヒンジ部材Ｈ１に対応して、上述した雄ヒンジ部材Ｈ２が、配設されており、上述したように、長側壁２の下部フランジ２ａに配設された雄ヒンジ部材Ｈ２を、底部１に配設された雌ヒンジ部材Ｈ１の縦孔１０ｃ及び壁孔１０ｄに挿入することにより、底部１と長側壁２とが、ヒンジ連結されるように構成されている。また、長側壁２の下部角部には、折り畳みコンテナーを箱型に組みたてた際に、角部補強ブロック１ｃが入り込む切り欠き凹部２ｂが形成されている。
【００１３】
３は、短側壁であり、短側壁３の下部フランジ３ａの裏面には、底部１の短側壁土手部１ｂに配設された雌ヒンジ部材Ｈ１に対応して、上述した雄ヒンジ部材Ｈ２が、配設されており、上述したように、短側壁３の下部フランジ３ａに配設された雄ヒンジ部材Ｈ２を、底部１に配設された雌ヒンジ部材Ｈ１の縦孔１０ｃ及び壁孔１０ｄに挿入することにより、底部１と短側壁３とが、ヒンジ連結されるように構成されている。
【００１４】
底部１の裏面には、箱型に組み立てられた折り畳みコンテナーを段積みした際に、下に位置する折り畳みコンテナーの開口部に嵌合可能な嵌合部１ｄが突設されており、嵌合部１ｄは、短辺側土手部１ｂ間の中央に形成された、短辺側土手部１ｂに平行な凹溝１ｅを挟んで、２個の副嵌合部１ｄ１に分割されている。本発明の折り畳みコンテナーの半分の大きさを有する小型の折り畳みコンテナーを、箱型に組み立てた状態で、２個並設し、その上に、本発明の折り畳みコンテナーを段積みした際に、下に位置するとともに、並設された２個の小型の折り畳みコンテナーの隣接するフランジが、上に位置する折り畳みコンテナーの副嵌合部１ｄ１間に形成された凹溝１ｅに嵌合するように構成されている。
【００１５】
また、底部１に突設された２個の副嵌合部１ｄ１間に形成された凹溝１ｅが位置する長辺側土手部１ａの上面１ａ１には、少なくとも、凹溝１ｅの幅ｗ１以上の幅（長辺側土手部１ａの長手方向に沿った長さ）を有する、正面形状（長辺側土手部１ａ側から見た形状）が略方形状の補強ブロック４が突設されており、この補強ブロック４の上面は、底部１の短辺側土手部１ｂの上面と同じ高さに形成されている。このような補強ブロック４を突設することにより、凹溝１ｅを形成したために低下する底部１の強度や剛性を補償するように構成されている。
【００１６】
上述したように、底部１の長辺側土手部１ａの上面１ａ１には、補強ブロック４が突設されているので、長側壁２の下部中央部には、折り畳みコンテナーを箱型に組みたてた際に、補強ブロック４が入り込むことが可能な、下方が開放された切り欠き凹部２ｃが形成されている。この切り欠き凹部２ｃは、相対する側部枠２ｃ１と側部枠２ｃ１の上端を連結する天部枠２ｃ２とにより形成されている。
【００１７】
短側壁３には、両端部の上部から略直角方向に延在するとともに、適当数の透孔５ａ１が穿設されている係合片５ａと、短側壁３に形成された、先端部に係止凸部５ｂ１を有する弾性舌片５ｂとからなる短側壁側係合部材５が配設されている。また、長側壁２の両端部の上部には、短側壁側係合部材５を構成する係合片５ａに穿設された係止突片５ｂ１に挿入可能な嵌合突起６ａを有する長側壁側係合部材６が配設されている。
【００１８】
そして、折り畳みコンテナーの組み立て作業時に、先に立てられた短側壁３に次いで、長側壁２を垂直方向に回動させた際には、長側壁２の長側壁側係合部材６に形成された嵌合突起６ａが、短側壁３の短側壁側係合部材５の係合片５ａに穿設された透孔５ａ１に挿入されるとともに、長側壁２が、短側壁３の短側壁側係合部材５を構成する弾性舌片５ｂを通過した時点で、長側壁２により外側に押された弾性舌片５ｂが、内側に戻り、短側壁３の短側壁側係合部材５を構成する弾性舌片５ｂの係止凸部５ｂ１が、略垂直に立てられた長側壁２の内壁面２ｄに当接し、長側壁２の底部１方向への回動を阻止するように構成されている。また、短側壁３の短側壁側係合部材５を構成する弾性舌片５ｂを、その係止凸部５ｂ１が、長側壁２の内壁面２ｄから外れるように、外側に押し、その後、長側壁２を底部１方向に回動させることにより、長側壁２の長側壁側係合部材６に形成された嵌合突起６ａを、短側壁３の短側壁側係合部材５の係合片５ａに穿設された透孔５ａ１から出して、長側壁２を、底部１に重ねるように構成されている。
【００１９】
底部１の長辺側土手部１ａの上面に配設された補強ブロック４には、補強ブロック４の上面中央部から下方に延在する垂直部７ａと、垂直部７ａの下端両端から水平方向に延在する水平部７ｂとからなる、正面形状（長辺側土手部１ａの内側から見た形状）が、略逆Ｔ字状の凹部７が形成されている。この凹部７は、所定の間隔で相対する上部垂直面４ａと、上部垂直面４ａを挟んで位置する天面４ｂと、天面４ｂの一端から下方に延在する下部垂直面４ｃと、底面４ｄとにより形成されている。また、底面４ｄの両端部付近で、且つ、補強ブロック４の内面４ｅ側には、一対の突起４ｆが突設されている。また、相対する上部垂直面４ａの上端の外側角部には、相対する上部垂直面４ａを架橋する補強梁４ｇが形成されており、この補強梁４ｇは、省略することもできる。
【００２０】
一方、長側壁２に形成された切り欠き凹部２ｃを形成する天部枠２ｃ２の裏面には、上述した底部１の長辺側土手部１ａの上面に配設された補強ブロック４に形成された略逆Ｔ字状の凹部７に嵌合可能な略逆Ｔ字状の嵌合凸部８が垂設されている。略逆Ｔ字状の嵌合凸部８は、略逆Ｔ字状の凹部７の垂直部７ａに嵌合される板状の垂直部８ａと、略逆Ｔ字状の凹部７の水平部７ｂに嵌合される略角柱状の水平部８ｂとから構成されている。また、略逆Ｔ字状の嵌合凸部８を構成する水平部８ｂの内面８ｂ１の下部両端角部には、補強ブロック４に形成された略逆Ｔ字状の凹部７を形成する底面４ｄに突設された突起４ｆが挿入可能な凹部８ｃが形成されている。なお、長側壁２の内壁面２ｄと嵌合凸部８の内面、即ち、長側壁２の内壁面２ｄと垂直部８ａの内面と水平部７ｂの内面とは、面一に形成されている。
【００２１】
図３に示されているように折り畳まれた状態の折り畳みコンテナーを、図１に示されているように、箱型に組み立てるには、先ず最初に、底部１に重ねられている長側壁２の上に位置する短側壁３を、図２に示されているように、略垂直に立てる。
【００２２】
次いで、底部１に重ねられている長側壁２を、垂直方向に回動させるが、この回動により、長側壁２の下部中央部に形成された切り欠き凹部２ｃに、底部１の長辺側土手部１ａに配設された補強ブロック４が嵌合されるとともに、長側壁２の下部角部に形成された切り欠き凹部２ｂに、底部１の短辺側土手部１ｂの両端部に形成された角部補強ブロック１ｃが挿入されることになる。
【００２３】
また、長側壁２の垂直方向への回動により、長側壁２に形成された切り欠き凹部２ｃを形成する天部枠２ｃ２の裏面に垂設された略逆Ｔ字状の嵌合凸部８が、底部１の長辺側土手部１ａに配設された補強ブロック４に形成された略逆Ｔ字状の凹部７に嵌合されるように構成されている。即ち、嵌合凸部８の垂直部８ａが凹部７の垂直部７ａに嵌合され、嵌合凸部８の水平部８ｂが凹部７の水平部７ｂに嵌合されるように構成されている。このように、長側壁２に配設された嵌合凸部８が、底部１に配設された角部補強ブロック１ｃに形成された凹部７に嵌合される際には、嵌合凸部８は、凹部７を形成する底面４ｄに突設された突起４ｆを乗り越えて回動するとともに、長側壁２が、略垂直に立てられた際には、凹部７を形成する底面４ｄに突設された突起４ｆが、嵌合凸部８を構成する水平部８ｂの内面８ｂ１の下部両端角部に形成された凹部８ｃに挿入されるように構成されている。
【００２４】
また、図１に示されているように、折り畳みコンテナーが箱型に組み立てられた際には、上述したように、長側壁２に形成された長側壁側係合部材６と、短側壁３に形成された短側壁側係合部材５とが係合し、略垂直に立てられた長側壁２が、簡単には、底部１方向に倒れないように構成されている。
【００２５】
上述したように、折り畳みコンテナーが箱型に組み立てられた状態においては、長側壁２に配設された略逆Ｔ字状の嵌合凸部８が、底部１に配設された補強ブロック４に形成された略逆Ｔ字状の凹部７に嵌合されているので、物品が収納された折り畳みコンテナーの長側壁２の中央部を持って運搬する際に、折り畳みコンテナーの重量を、補強ブロック４に形成された略逆Ｔ字状の凹部７の水平部７ｂに嵌合されている長側壁２に配設された略逆Ｔ字状の嵌合凸部８の水平部８ｂと、底部１とにより負担することができるので、底部１と長側壁２を連結する雌ヒンジ部材Ｈ１と雄ヒンジ部材Ｈ２への負担が軽減され、従って、雌ヒンジ部材Ｈ１や雄ヒンジ部材Ｈ２が損傷するようなことを防止することができる。
【００２６】
また、折り畳みコンテナーが箱型に組み立てられた状態においては、長側壁２に配設された略逆Ｔ字状の嵌合凸部８が、底部１に配設された補強ブロック４に形成された略逆Ｔ字状の凹部７に嵌合されているので、箱型に組み立てられた折り畳みコンテナーの長側壁２の上方から負荷がかかっても、このような負荷が、上記の嵌合凸部８と凹部７との嵌合により吸収され軽減されるので、底部１と長側壁２とを連結するヒンジ部へに負荷が軽減されることになる。従って、長側壁２の厚さを薄くして、長側壁２の下部フランジ２ａに配設されている雄ヒンジ部材Ｈ２の支持片２０ｃの幅ｗ１２が薄くなっても、雌ヒンジ部材Ｈ１と雄ヒンジ部材Ｈ２とからなるヒンジ部が損傷するようなことがないので、長側壁２の厚さを薄くすることができる。
【００２７】
更に、折り畳みコンテナーが箱型に組み立てられた状態において、長側壁２に、底部１の長辺側土手部１ａに沿った横方向の負荷が加わっても、長側壁２に配設された略逆Ｔ字状の嵌合凸部８が、底部１に配設された補強ブロック４に形成された略逆Ｔ字状の凹部７に嵌合されているので、長側壁２の長辺側土手部１ａ方向の移動が制限されるとともに、雌ヒンジ部材Ｈ１と雄ヒンジ部材Ｈ２とからなるヒンジ部に加わる負荷が、補強ブロック４に形成された略逆Ｔ字状の凹部７と該凹部７に嵌合されている略逆Ｔ字状の嵌合凸部８とにより、担持されるので、ヒンジ部の損傷を防止することができる。
【００２８】
上述した実施例には、長側壁２に、略逆Ｔ字状の嵌合凸部８を配設し、底部１の長辺側土手部１ａに、略逆Ｔ字状の凹部７が形成された補強ブロック４を配設した例が示されているが、短側壁３に、略逆Ｔ字状の嵌合凸部８を配設し、底部１の短辺側土手部１ｂに、略逆Ｔ字状の凹部７が形成された補強ブロック４を配設することもでき、更には、長側壁２と短側壁３の両方に、共に略逆Ｔ字状の嵌合凸部８を配設し、底部１の長辺側土手部１ａと短辺側土手部１ｂの両方に、略逆Ｔ字状の凹部７が形成された補強ブロック４を配設するように構成することもできる。
【００２９】
上述したように、折り畳みコンテナーの箱型への組立作業において、長側壁２に配設された嵌合凸部８が、底部１に配設された角部補強ブロック１ｃに形成された凹部７に嵌合される際には、嵌合凸部８は、凹部７を形成する底面４ｄに突設された突起４ｆを乗り越えて回動するとともに、長側壁２が、略垂直に立てられた際には、凹部７を形成する底面４ｄに突設された突起４ｆが、嵌合凸部８を構成する水平部８ｂの内面８ｂ１の下部両端角部に形成された凹部８ｃに挿入されるように構成されているので、箱型に組み立てられた折り畳みコンテナーの長側壁２に、横方向外側から外力が加わっても、簡単には、長側壁２が折り畳みコンテナーの内側に湾曲変形するようなことがなく、従って、収納されている物品が、湾曲変形した長側壁２により、損傷するようなことを防止することができるとともに、長側壁２が  湾曲変形し損傷するようなことを防止することができる。
【００３０】
【発明の効果】
本発明は、以上説明した構成を有しているので、以下に記載する効果を奏するものである。
【００３１】
底部の一方の相対する辺部に、略逆Ｔ字状の凹部が形成されたブロックを配設するとともに、辺部にヒンジ連結された側壁には、略逆Ｔ字状の凹部に嵌合可能な略逆Ｔ字状の嵌合凸部を配設したので、物品が収納された折り畳みコンテナーの側壁を持って運搬する際に、折り畳みコンテナーの重量を、底部に配設されたブロックに形成された略逆Ｔ字状の凹部に嵌合されている、側壁に配設された略逆Ｔ字状の嵌合凸部と、底部とにより負担することができるので、底部と側壁を連結するヒンジ部材への負担が軽減され、従って、ヒンジ部材が損傷するようなことを防止することができる。
【００３２】
底部に配設されたブロックに形成された略逆Ｔ字状の凹部を構成する所定の面に、突起を突設するとともに、側壁に配設された嵌合凸部には、前記突起が挿入可能な凹部を形成したので、箱型に組み立てられた折り畳みコンテナーの側壁に、横方向外側から外力が加わっても、簡単には、側壁が折り畳みコンテナーの内側に湾曲変形するようなことがなく、従って、収納されている物品が、湾曲変形した側壁により、損傷するようなことを防止することができるとともに、側壁が、湾曲変形し損傷するようなことを防止することができる。
【図面の簡単な説明】
【図１】図１は本発明の折り畳みコンテナーの組み立てられた状態の斜視図である。
【図２】図２は本発明の折り畳みコンテナーの折り畳み途中の斜視図である。
【図３】図３は本発明の折り畳みコンテナーの折り畳まれた状態の斜視図である。
【図４】図４は本発明の折り畳みコンテナーを構成する底部の裏面斜視図である。
【図５】図５は本発明の折り畳みコンテナーを構成する底部と長側壁の部分分解斜視図である。
【図６】図６は本発明の折り畳みコンテナーを構成する底部と長側壁の嵌合部分の垂直断面図である。
【図７】図７は一例としての折り畳みコンテナーの底部と側壁のヒンジ連結部材の部分分解斜視図である。
【図８】図８は図７に示されているヒンジ連結部材のヒンジ連結された状態の側断面図である。
【図９】図９は同じく図７に示されているヒンジ連結部材のヒンジ連結された状態の他の部分の側断面図である。
【図１０】図１０は図８において側壁が立てられた状態の側断面図である。
【符号の説明】
１・・・・・・・・・・・・底部
２・・・・・・・・・・・・長側壁
３・・・・・・・・・・・・短側壁
４  ・・・・・・・・・・・補強ブロック
５・・・・・・・・・・・・短側壁側係合部材
６・・・・・・・・・・・・長側壁側係合部材
７・・・・・・・・・・・・略Ｔ字状の凹部
８・・・・・・・・・・・・略Ｔ字状の嵌合凸部
【図１】
0003861020.tif 000002
【図２】
0003861020.tif 000003
【図３】
0003861020.tif 000004
【図４】
0003861020.tif 000005
【図５】
0003861020.tif 000006
【図６】
0003861020.tif 000007
【図７】
0003861020.tif 000008
【図８】
0003861020.tif 000009
【図９】
0003861020.tif 000010
【図１０】
0003861020.tif 000011